(57)【要約】      （修正有）【課題】燃料タンク内の組み込み位置に向けてポンプユニットを移動させやすくすること。【解決手段】タンク装置１内の組み込み位置にポンプユニット３を移動させるため、スロープ９１を備える挿入ガイド９を使用する。スロープ９１はポンプユニット３を摺動させることができるものであり、開口２９から導入されるポンプユニット３を組み込み位置に向けて導くものである。この挿入ガイド９を使用することにより、燃料タンク２の開口２９近傍からポンプユニット３の組み込み位置にポンプユニット３を導くことが可能となっている。【選択図】図１
2016205208.tif 000002
【特許請求の範囲】
【請求項１】
燃料タンクの開口から導入されるポンプユニットが組み込み位置に向けて摺動することを可能とするスロープを備える挿入ガイド。
【請求項２】
請求項１に記載の挿入ガイドであって、
底壁と前記底壁よりも上方に向けて立ち上がる側壁を備え、前記スロープは底壁及び／又は側壁に形成される挿入ガイド。
【請求項３】
請求項１又は２に記載の挿入ガイドであって、
ポンプユニットを組み込み位置に配置後、ポンプユニットを組み込み位置に残したまま燃料タンク外に移動させることが可能である挿入ガイド。
【請求項４】
請求項１又は２に記載の挿入ガイドであって、
ポンプユニットを組み込み位置で固定可能な取り付け部を備えており、燃料タンク底面に対して相対移動不能に形成されている挿入ガイド。
【請求項５】
請求項１乃至４の何れかに記載の挿入ガイドであって、
底壁と前記底壁よりも上方に向けて立ち上がる側壁を備え、前記側壁がポンプユニットの動きを規制する挿入ガイド。
【請求項６】
請求項１乃至５の何れかに記載の挿入ガイドを備えるタンク装置であって、
ポンプユニットを組み込み位置で固定する取り付け部に、ポンプユニットの着脱を可能とする固定手段を備えるタンク装置。
【請求項７】
請求項１乃至６の何れかに記載の挿入ガイドが取り付けられる燃料タンクであって、
組み込み位置にはポンプユニットを固定可能な取り付け部が形成されており、
内部には、挿入ガイドを取り付け部に接続する位置に導く接続ガイド部を備えている燃料タンク。
【請求項８】
燃料を送出するポンプユニットが燃料タンク内に組み込まれたタンク装置の製造方法であって、
燃料タンクの入り口近傍からポンプユニットの組み込み位置に向けてポンプユニットが移動することをガイドするスロープを用いて、ポンプユニットを組み込み位置まで導く工程を備えるタンク装置の製造方法。
【発明の詳細な説明】
【技術分野】
【０００１】
本発明は、挿入ガイド、燃料タンク、タンク装置及びタンク装置の製造方法に関する。詳しくは、自動車等の乗物に搭載されるタンク装置に適用される技術に関する。
【背景技術】
【０００２】
燃料タンク内にポンプユニットを配置して、燃料タンク内の燃料を内燃機関などに送液することは広く行われている。特許文献１には、燃料タンクの底部に設けられた取り付け部にポンプユニットを固定する技術が記載されている。このように燃料タンク内に配置されたポンプユニットを組み込み位置に配置するには、通常、燃料タンクの開口から内部に手を挿入して作業が行われている。
【先行技術文献】
【特許文献】
【０００３】
【特許文献１】特開２００３−１７２２１７号公報
【発明の概要】
【発明が解決しようとする課題】
【０００４】
ところで、一般的に、燃料タンクの開口は小さく、燃料タンクの内部は暗い。このため、ポンプユニットを燃料タンク内に固定する作業は、良好な視界のもとで行われているものとは言いがたかった。固定作業をする前に、まず、ポンプユニットを組み込み位置の近傍に移動させる必要があるが、この段階でも手間取る虞があった。
【０００５】
本発明は、上記した点に鑑みて創案されたものであって、本発明が解決しようとする課題は、燃料タンク内の組み込み位置に向けてポンプユニットを移動させやすくすることにある。
【課題を解決するための手段】
【０００６】
上記課題を解決するために、本発明は次の手段をとる。先ず、第１の手段は、燃料タンクの開口から導入されるポンプユニットが組み込み位置に向けて摺動することを可能とするスロープを備える挿入ガイドである。
【０００７】
この第１の手段によれば、燃料タンクの開口から組み込み位置に向けてポンプユニットを移動させやすくなる。このため、開口から離れた位置にポンプユニットを組み込む場合であっても、取り付け作業が手間取ることを抑制することが可能と成り得る。また、ポンプユニットが燃料タンク内を移動する空間が定まるため、ポンプユニットが燃料タンクの内側の面などに衝突することが抑制される。したがって、挿入ガイドがポンプユニットを保護する役割を果たすことが可能となりうる。
【０００８】
第２の手段は、第１の手段において底壁と、前記底壁よりも上方に向けて立ち上がる側壁を備え、前記スロープは底壁及び／又は側壁に形成される挿入ガイドである。
【０００９】
この第２の手段によれば、ポンプユニットの少なくとも一部を底壁及び側壁で区画される空間に収めながらポンプユニットを移動させることが可能となる。このため、ポンプユニットが挿入ガイドより脱離することを抑制することが可能となり得る。
【００１０】
第３の手段は、第１又は第２の手段においてポンプユニットを組み込み位置に配置後、ポンプユニットを組み込み位置に残したまま燃料タンク外に移動させることが可能である挿入ガイドである。
【００１１】
この第３の手段によれば、組み込み位置にポンプユニットを配置したまま、挿入ガイドを燃料タンクから取り出すことが可能である。このため、通常使用時に挿入ガイドを燃料タンクに残存させる必要性がなく、タンク装置の全体重量が増加することを抑制することが可能となり得る。
【００１２】
第４の手段は、第１又は第２の手段においてポンプユニットを組み込み位置で固定可能な取り付け部を備えており、燃料タンク底面に対して相対移動不能に形成されている挿入ガイドである。
【００１３】
この第４の手段によれば、燃料タンクの底面に対して相対移動不能な挿入ガイドに取り付け部が形成されている。燃料タンクに対して取り付け及び取り外し工程が不要となるため、作業負担を抑制することが可能となり得る。また、挿入ガイドに取り付け部が形成されているため、挿入ガイド上を移動させることで組み込み位置に到達させて固定することが可能となる。
【００１４】
第５の手段は、第１乃至第４の手段において底壁と前記底壁から立ち上がる側壁を備え、前記側壁がポンプユニットの動きを規制する挿入ガイドである。
【００１５】
この第５の手段によれば、側壁がポンプユニットの動きを規制するため、比較的簡素な構成とすることが可能となり得る。
【００１６】
第６の手段は、第１乃至第５の手段の挿入ガイドを備えるタンク装置であって、ポンプユニットを組み込み位置で固定する取り付け部に、ポンプユニットの着脱を可能とする固定手段を備えるタンク装置である。
【００１７】
この第６の手段によれば、ポンプユニットの取り付けだけでなく取り外しを可能としているため、一度燃料タンクに取り付けたポンプユニットを交換することが可能となる。
【００１８】
第７の手段は、第１乃至６の何れかに記載の挿入ガイドが取り付けられる燃料タンクであって、組み込み位置にはポンプユニットを固定可能な取り付け部が形成されており、内部には、挿入ガイドを取り付け部に接続する位置に導く接続ガイド部を備えている燃料タンクである。
【００１９】
この第７の手段によれば、挿入ガイドを取り付け部に接続する際の作業負担を抑制することが可能となり得る。
【００２０】
第８の手段は、燃料を送出するポンプユニットが燃料タンク内に組み込まれたタンク装置の製造方法であって、燃料タンクの入り口近傍からポンプユニットの組み込み位置に向けてポンプユニットが移動することをガイドするスロープを用いて、ポンプユニットを組み込み位置まで導く工程を備えるタンク装置の製造方法である。
【００２１】
この第８の手段によれば、燃料タンク内の組み込み位置に向けてポンプユニットを移動させやすくすることが可能となる。
【発明の効果】
【００２２】
本発明によれば、燃料タンク内の組み込み位置に向けてポンプユニットを移動させやすくすることが可能となり得る。
【図面の簡単な説明】
【００２３】
【図１】実施例１の挿入ガイドを燃料タンク内に配置した状態を示した概念図である。
【図２】実施例１の挿入ガイドを取り外した状態を示した概念図である。
【図３】図２のIII-III矢視図である。
【図４】図３のIV-IV矢視図である。
【図５】図４のV-V矢視図である。
【図６】第一の変形例における取り付け部とポンプユニットとの関係を示す平面図である。
【図７】図１のVII-VII矢視図である。
【図８】第二の変形例における挿入ガイドと取り付け部と接続ガイドの関係を示す平面図である。
【図９】図７のIX-IX矢視図である。
【図１０】実施例２の挿入ガイドを示した概念図である。
【図１１】第三の変形例における挿入ガイドとポンプユニットとの関係を示す断面図である。
【図１２】第四の変形例における挿入ガイドとポンプユニットとの関係を示す断面図である。
【図１３】第五の変形例における挿入ガイドとポンプユニットとの関係を示す断面図である。
【発明を実施するための形態】
【００２４】
以下に、本発明を実施するための形態について、適宜図面を用いながら説明する。なお、本明細書における前後方向、上下方向、左右方向などの方向は、図１などに示したＸが前方向、Ｙが左方向、Ｚが上方向と規定する。例えば、図１では、燃料タンク２の開口２９が上側に示されている。また、ポンプユニット３を組み込み位置に向けて移動させるに際し、開口２９よりも前方に移動させることが示されている。なお、以下においては、特に断りが無い限り、図１の状態を基準とし、方向について言及する。
【００２５】
本実施の形態におけるタンク装置１は乗物に搭載されるものである。特に、乗物の中でも車両に搭載されるものである。タンク装置１の内部には、ポンプユニット３が配置されており、燃料タンク２内の燃料を車両の内燃機関（図示せず）に送液することが可能な構成となっている。燃料タンク２には、ポンプユニット３を組み込み位置で固定することが可能な取り付け部２１が備えられている。当該取り付け部２１にはポンプユニット３を着脱可能とする固定手段２５が備えられている。
【００２６】
タンク装置１内の組み込み位置にポンプユニット３を移動させるため、スロープ９１を備える挿入ガイド９を使用する。スロープ９１はポンプユニット３を摺動させることができるものであり、図１に示すように、開口２９から導入されるポンプユニット３を組み込み位置に向けて導くものである。この挿入ガイド９を使用することにより、燃料タンク２の開口２９近傍からポンプユニット３の組み込み位置にポンプユニット３を導くことが可能となっている。燃料タンク２内の組み込み位置でポンプユニット３を固定した後、燃料タンク２の開口２９がセットプレート５により覆えば、開口２９が封じられた状態とすることが可能となる（図２参照）。
【実施例１】
【００２７】
本実施例におけるタンク装置１は、燃料タンク２内にポンプユニット３が取り付けられた構成である（図２乃至５参照）。ポンプユニット３には、燃料を送液可能な燃料ポンプ３１が備えられている。また、ポンプユニット３には、燃料ポンプ３１を支持する台座の機能を果たすポンプマウント３２が備えられており、ポンプマウント３２より下方には、ポンプと接続されるフィルタ３３が備えられている。ポンプユニット３には図示しない燃料チューブの一端が接続されており、この燃料チューブの他端はセットプレート５に接続されている。燃料タンク２の外に燃料を排出することを可能とするため、セットプレート５には図示しない吐出ポートが形成されている。
【００２８】
本実施例のポンプユニット３は、ポンプマウント３２において側方に突出する係止翼３２１が形成されている。この係止翼３２１はその前方に位置する部位よりも側方に突出する形態とされた部位であり、ポンプユニット３が組み込み位置から離脱することを抑制するために利用される。
【００２９】
ポンプユニット３が組み込まれる燃料タンク２の内部には、底部から上方に延びる壁部２８が形成されている。壁部２８は燃料タンク２内の一部を区画するように形成されている。図３乃至５に示すように、壁部２８はその内側にポンプユニット３を配置することが可能なように構成されており、本実施例においては、主としてポンプユニット３の前方、右方及び左方に位置するように一続きの壁部２８が形成されている。本実施例の壁部２８は燃料の移動を抑制することが可能なものであり、壁部２８で区画された領域は、いわゆるサブタンクとして機能する。本実施例のポンプユニット３は壁部２８で区画された領域に位置する燃料を吸引することが可能となるように組み込み位置が定められている。
【００３０】
ポンプユニット３を組み込み位置で固定するため、タンク装置１に取り付け部２１が形成されている。取り付け部２１は、ポンプユニット３が所定箇所から移動することを抑制するものであり、本実施例においては、壁部２８がポンプユニット３の左右方向及び前方向への移動を抑制する構成としている。また、壁部２８のうちポンプユニット３の前方に位置する部位から後方に延びるように平板状の突起が第一の固定手段２５１として形成されている。
【００３１】
壁部２８のうちポンプユニット３の右方及び左方に位置する部位には、側面視で略Ｌ字形状であり弾性変形可能な、第二の固定手段２５２が形成されている。第二の固定手段２５２は、ポンプユニット３に形成された係止翼３２１に引っ掛かることが可能な部位である。第一の固定手段２５１と第二の固定手段２５２は、組み込み位置に配置されたポンプマウント３２の上面に当接することが可能なものであり、ポンプユニット３が上方に移動することを抑制している（図４参照）。なお、第二の固定手段２５２は弾性変形可能であり、ポンプユニット３を組み込み位置に向けて移動させる際には図４及び図５の二点鎖線で示すように弾性変形可能に構成されている。
【００３２】
ポンプユニット３が組み込み位置から後方に移動することを抑制するため、上方に延びる突起状に第三の固定手段２５３が形成されている（図４及び図５参照）。第三の固定手段２５３は、ポンプユニット３が後方に移動することを抑制可能なものである。この第三の固定手段２５３は第二の固定手段２５２により上方への移動が十分に抑制されている場合、ポンプユニット３が後方へ移動することを抑制するものである。一方、図４及び図５の二点鎖線で示したように、第二の固定手段２５２が大きく変形した場合、第二の固定手段２５２と第三の固定手段２５３の隙間よりポンプユニット３を後方へ移動させることが可能な構成となっている。なお、第二の固定手段２５２の弾性力は、通常状態ではポンプユニット３が組み込み位置から脱離するほど変形しないが、作業者がポンプユニット３を所定方向へ引っ張ることにより組み込み位置から脱離させることができるように設定されている。
【００３３】
なお、図３に示した形態では、ポンプユニット３に対して壁部２８を隣接させることが可能なように構成されている。このため、壁部２８の一部を第二の固定手段２５２として利用することが可能である。また、ポンプユニット３の左右側に位置する壁部２８がポンプユニット３に隣接することになるため、ポンプユニット３が左右方向のずれることを抑制することにもなる。
【００３４】
ポンプユニット３と壁部２８との位置関係は、このような形態ばかりではなく、壁部２８内に残留する燃料を確保するため、図６に示した第一の変形例のように、壁部２８で区画される領域を大きくすることが考えられる。この変形例の場合、壁部２８とは別に第二の固定手段２５２を形成している。また、ポンプユニット３が水平方向にがたつく事を抑制するため、ポンプユニット３の進行方向と平行となるように延びる規制壁７１を備えている。第二の固定手段２５２と規制壁７１との間には間隙７２を形成しており、燃料が通過できるようになっている。また、規制壁７１は壁部２８とも離間して構成されているため、規制壁７１に隣接する空間全体において燃料が移動しやすいものとなっている。
【００３５】
本実施例においては、組み込み位置に到達したポンプユニット３は、壁部２８や各固定手段２５が取り付け部２１として機能することにより、フィルタ３３が壁部２８で概略区画された領域に位置するように固定されることになる。壁部２８で区画された領域にある燃料はフィルタ３３を通して燃料ポンプ３１に吸引され、図示しない燃料チューブを介して燃料タンク２の外に送液される。
【００３６】
この取り付け部２１には、ポンプユニット３が摺動可能なスロープ９１を備えた挿入ガイド９が接続される（図１及び図７参照）。挿入ガイド９はポンプユニット３が燃料タンク２の開口２９から組み込み位置に向けて移動することを補助するために使用されるものであり、スロープ９１上をポンプユニット３が摺動可能なように構成されている。この挿入ガイド９は側面視で概略円弧状に形成されており、取り付け部２１と接続された際には、側面視で円弧状のスロープ９１によりポンプユニット３を受けるような形態となる。
【００３７】
挿入ガイド９には取り付け部２１と接続することを容易にするため、接続ガイド部７４が備えられている。この接続ガイド部７４を取り付け部２１に当接させながら挿入ガイド９を移動させることにより、取り付け部２１に対して所定の位置関係となるように、挿入ガイド９を導くことが可能となる。本実施例の接続ガイド部７４は、挿入ガイド９の右側及び左側に各々形成されており、各々の接続ガイド部７４の端部７４１同士の距離が、取り付け部２１の左右方向の幅よりも長くなるように構成されている。その端部７４１と端部７４１の間に取り付け部２１が位置している状態で、挿入ガイド９を取り付け部２１側に移動させれば、挿入ガイド９と取り付け部２１を所定の位置関係とすることが可能となる。
【００３８】
接続ガイド部７４は、図８に示す第二の変形例のように、取り付け部２１側に備える構成とすることも可能である。この場合、接続ガイド部７４の端部７４１間の距離が、挿入ガイド９の前端の左右方向の幅よりも長くなるように構成されている。その端部７４１と端部７４１の間に挿入ガイド９の前端が位置している状態で、挿入ガイド９を取り付け部２１側に移動させれば、挿入ガイド９と取り付け部２１を所定の位置関係とすることが可能となる。
【００３９】
挿入ガイド９に沿ってポンプユニット３が摺動することを可能とするためスロープ９１が形成されているが、本実施例のスロープ９１は底壁９２に形成されている。この底壁９２の左右には底壁９２よりも上方に向けて立ち上がる側壁９３が形成されており、底壁９２と側壁９３により凹形状をなすように構成されている（図９参照）。この凹形状の部位にポンプユニット３のポンプマウント３２が嵌るように構成されている。本実施例のポンプマウント３２は、燃料ポンプ３１の真下に位置し、水平方向に広がるマウント本体３２２と、マウント本体３２２の両端側から下方に延びる支持脚部３２３を備えている。この支持脚部３２３の下端はスロープ９１に対して摺動する部位である。支持脚部３２３の下端はフィルタ３３の下面よりも下方に位置するように構成されており、フィルタ３３の下面がスロープ９１などに当接されない状態を維持することが可能となっている。
【００４０】
挿入ガイド９はポンプマウント３２を嵌めることが可能な溝状に構成されているため、滑り台状のスロープ９１に沿ってポンプユニット３を移動させる際、支持脚部３２３が両側の側壁９３の間に位置することとなる。このため、側壁９３はポンプユニット３が側方へ移動することを規制することになる。特に、支持脚部３２３と側壁９３との隙間が狭められているため、ポンプユニット３の正面が進行方向を向いたままポンプユニット３を移動させることが容易な構成となっている。なお、本実施例においては、ポンプユニット３が真下に向けて移動することを底壁９２が抑制しており、ポンプユニット３が側方（左右方向）に向けて移動することを側壁９３が抑制している。
【００４１】
本実施例のポンプユニット３の支持脚部３２３はポンプユニット３の前端側と後端側の双方に位置するように構成されている。このため、挿入ガイド９上を滑る場合にも、ポンプユニット３の正面が進行方向に向きやすくなる。
【００４２】
本実施例の挿入ガイド９は開口２９側の端部が燃料タンク２の外に位置するように配置される（図１参照）。そのため、燃料タンク２の開口２９周りからポンプユニット３を挿入ガイド９に摺動させることが可能となる。この挿入ガイド９は燃料タンク２の開口２９周りに円筒状に形成されるネック部２３に引掛けることが可能なように、側面視Ｕ字状となるフック部９４が形成されている。挿入ガイド９は取り付け部２１と嵌めあうように接続され、フック部９４が燃料タンク２に支えられるようになるため、挿入ガイド９は安定した状態を維持することが可能となる。したがって、ポンプユニット３を挿入ガイド９上で滑らせる際に、ポンプユニット３が挿入ガイド９から脱落するようなことが抑制される。
【００４３】
本実施例の挿入ガイド９を用いれば、挿入ガイド９の一端を取り付け部２１の近傍に配置し、接続ガイド部７４が取り付け部２１と当接した状態で挿入ガイド９を移動させることで、挿入ガイド９を所定の位置に配置させることが可能となる。このため、取り付け部２１が視認性の良くない位置に配置されていても、挿入ガイド９を適切に配置することが可能となる。また、このように配置した挿入ガイド９に沿わせてポンプユニット３を移動させることでポンプユニット３を組み込み位置にまで移動させることができるため、視認性の良くない位置に配置された取り付け部２１であってもポンプユニット３を適切に配置することが可能となる。
【００４４】
本実施例の挿入ガイド９は、ポンプユニット３を取り付け部２１に取り付けるために使用した後、取り外すことが可能であるので、通常使用時におけるタンク装置１の重量の増加を抑制することが可能と成り得る。また、挿入ガイド９は治具として形成可能であるため、一つの挿入ガイド９を形成することにより、複数回の取り付け作業に寄与することが可能と成り得る。
【００４５】
本実施例の挿入ガイド９と取り付け部２１を利用すれば、ポンプユニット３を挿入ガイド９に沿って移動させることで、取り付け部２１の近傍までポンプユニット３を移動させることが可能である。また、挿入ガイド９に沿うように移動させる動きと同様にポンプユニット３を移動させることで取り付け部２１に固定することができるため、ポンプユニット３の固定作業の負担を抑制することが可能となり得る。
【００４６】
本実施例の構成であれば、ポンプユニット３を組み込み位置に向けて押し付けるだけで取り付け部２１に固定することが可能となり、逆に、ポンプユニット３を引き抜くだけで、取り付け部２１による固定を解除することができる。したがって、取り付け取り外し作業の労力を低減させることが可能となり得る。なお、ポンプユニット３の取り外し作業時に挿入ガイド９を用いる必要は無いが、挿入ガイド９を用いれば、ポンプユニット３が燃料タンク２に衝突することを抑制することが可能となるため、ポンプユニット３の破損を抑制することが可能となり得る。
【００４７】
燃料を送出するポンプユニット３が燃料タンク２内に組み込まれたタンク装置１を製造する際に、本実施例の挿入ガイド９を利用すれば、燃料タンク２の入り口近傍からポンプユニット３の組み込み位置に向けてポンプユニット３が移動することをガイドするスロープ９１を用いて、ポンプユニット３を組み込み位置まで導く工程を経ることが可能となる。
【実施例２】
【００４８】
次に、実施例２について説明する。実施例２と実施例１の相違点は、主に、挿入ガイド９が燃料タンク２に対して分離可能であるか否かであるため、以下においては、その点を中心に説明する。本実施例の挿入ガイド９は取り付け部２１を備えた構成である。燃料タンク２に固定されるものである。このため、挿入ガイド９全体が常に燃料タンク２内に位置することになる。挿入ガイド９は、開口２９の近傍からポンプユニット３を載せることができるよう、挿入ガイド９の導入部９５が開口２９の近傍に配置されている（図１０参照）。この挿入ガイド９の上端に位置する導入部９５は開口２９から作業者が視認できる範囲に設けられている。
【００４９】
本実施例では、燃料タンク２を形成する際に挿入ガイド９も同時に成形できる金型に樹脂を導入して形成している。したがって、燃料タンク２に挿入ガイド９を取り付ける作業が不要となる。また、挿入ガイド９が燃料タンク２の外部に突出していないため、挿入ガイド９を取り除く作業が不要であり、組み付け工数を低減することが可能となり得る。
【００５０】
実施例１及び２に記載された形態とは異なる態様で挿入ガイド９やポンプユニット３を形成することも可能である。例えば、ポンプユニット３を側壁９３で支えながら取り付け部２１にむけて移動するように構成するものとしても良い。図１１に示す第三の変形例の場合、ポンプユニット３のポンプマウント３２を側壁９３の上面が支えるように構成している。この変形例では、平板状に形成されるマウント本体３２２の左右端からやや中心よりにおいて下方に向けて延びる突状部位７６が形成されている。この突状部位７６はポンプユニット３には対向する側壁９３の間に位置することが可能なように構成されている。側壁９３と突状部位７６とが隣接した状態に位置しているため、ポンプユニット３が左右にずれることが抑制される。この突状部位７６は、側壁９３に摺ることはあっても、底壁９２には摺ることは無いように形成されている。
【００５１】
図１２に示す第四の変形例の場合、突状部位７６は、対向する側壁９３の外側に位置することが可能なように構成されている。つまり、対向する突状部位７６の間に両サイドの側壁９３を配置することが可能なように構成されている。この変形例においても側壁９３と突状部位７６とが隣接した状態に位置しているため、ポンプユニット３が左右にずれることが抑制される。この突状部位７６は、両サイドの側壁９３の外側に位置するものであるため、側壁９３に摺ることはあっても、底壁９２に摺ることは無い。
【００５２】
第三の変形例や第四の変形例では、ポンプユニット３を挿入ガイド９上に載せるようにして使用するものであるため、ポンプユニット３を垂直上方に引き上げれば、挿入ガイド９とポンプユニット３を分離させることが可能な構成である。このような構成ではなく、ポンプユニット３が挿入ガイド９に沿って移動している際に上方に移動することを抑制する形態とすることも可能である。例えば、図１３に示す第五の変形例では、側壁９３の外方に向けて突出する隆起部７８が側壁９３に形成されており、隆起部７８の少なくとも一部を上下方向及び右若しくは左方向で覆う鉤部７９がポンプマウント３２の左右両外側に形成されている。
【００５３】
以上、二つの実施例と幾つかの変形例を用いて実施形態を説明したが、本発明は、上記実施形態のほか、その他各種の形態で実施可能なものである。例えば、挿入ガイドに形成されるスロープは曲面状である必要性は無く、平面で形成しても、平面と曲面の組み合わせで形成しても良い。
【００５４】
取り付け部は、必ずしもサブタンクとしての機能を備える必要性は無く、取り付け部の周囲にサブタンクの機能を果たす部位を形成することも可能である。また、サブタンク機能の無いタンク装置に挿入ガイドを適用することも可能である。
【００５５】
ポンプユニットは、フィルタの下面が覆われていない構成とする必要性はなく、フィルタよりも下方に、フィルタと挿入ガイドなどが当接することを抑制するフィルタ保護部を備える構成とすることも可能である。
【００５６】
マウント本体から突出しており、側壁と当接することでポンプユニットの側方への移動を抑制可能な部位（支持脚部や突状部位など）は、ポンプユニットに対して一箇所若しくは複数個所設ける形態とすることが可能である。このような部位を複数個所設ける場合、ポンプユニットの前端側と後端側の各々に設定することが好ましい。
【００５７】
ポンプユニットを移動させることでポンプユニットを取り付け部に固定する態様である必要性は無く、所定箇所まで移動させた後に、別途固定作業をすることによりポンプユニットを取り付け部に固定する態様とすることも可能である。
【００５８】
隆起部をポンプマウント側に設け、鉤部を挿入ガイド側に形成することも可能である。また、隆起部を内方に向けて形成することも可能であるが、この場合鉤部もそれに対応した形状とする。
【００５９】
固定手段は、実施例などに記載した形態である必要性は無く、螺合や嵌合など各種形態の技術を使用することが可能である。
【００６０】
また、乗物としては、車両であることに限らず、飛行機やヘリコプターなど空中を飛行する乗物や、船舶や潜水艇など海面や海中などを移動する乗物としてもよい。
【符号の説明】
【００６１】
１        タンク装置
２        燃料タンク
３        ポンプユニット
９        挿入ガイド
２１      取り付け部
２８      壁部
２９      開口
３２      ポンプマウント
３３      フィルタ
７４      接続ガイド部
７６      突状部位
７８      隆起部
７９      鉤部
９１      スロープ
９２      底壁
９３      側壁
３２１    係止翼
３２２    マウント本体
３２３    支持脚部
【図１】
2016205208.tif 000003
【図２】
2016205208.tif 000004
【図３】
2016205208.tif 000005
【図４】
2016205208.tif 000006
【図５】
2016205208.tif 000007
【図６】
2016205208.tif 000008
【図７】
2016205208.tif 000009
【図８】
2016205208.tif 000010
【図９】
2016205208.tif 000011
【図１０】
2016205208.tif 000012
【図１１】
2016205208.tif 000013
【図１２】
2016205208.tif 000014
【図１３】
2016205208.tif 000015